(57)【要約】【課題】光源が発した熱を外部に排出しつつ、植物の葉への送風をより確実に行うことができる植物育成装置を提供する。【解決手段】植物育成装置１００は、植物３の地上部３ａに向かう光を発する光源４と、光源側の空間Ｓ１と地上部側の空間Ｓ２とを仕切り、水蒸気および光を通過させるが地上部３ａの通過を制限する仕切部５と、を備える。また、植物育成装置１００は、地上部側の空間Ｓ２内に外気を導入する外気導入部１３と、地上部側の空間Ｓ２に気流を生成する送風機構６と、を備える。そして、送風機構６が、地上部３ａの上方に配置されて、地上部側の空間Ｓ２に、外気導入部１３から送風機構６に向かう気流を生成する。【選択図】図１
2020061986.tif 000002
【特許請求の範囲】
【請求項１】
植物の地上部に向かう光を発する光源と、
前記光源側の空間と前記地上部側の空間とを仕切り、水蒸気および光を通過させるが前記地上部の通過を制限する仕切部と、
前記地上部側の空間内に外気を導入する外気導入部と、
前記地上部側の空間に気流を生成する送風機構と、
を備え、
前記送風機構が、前記地上部の上方に配置されて、前記地上部側の空間に、前記外気導入部から前記送風機構に向かう気流を生成する植物育成装置。
【請求項２】
前記地上部側の空間の気流を制御可能な気流制御部を備える請求項１に記載の植物育成装置。
【請求項３】
前記気流制御部が、前記光源側から下方に伸びて前記地上部側の空間の側方を仕切り、空気の通りを制限する周壁部と、前記周壁部よりも下方に形成された前記外気導入部と、を含む請求項２に記載の植物育成装置。
【請求項４】
前記周壁部が、前記光源側の空間の側方を仕切る請求項３に記載の植物育成装置。
【請求項５】
前記光源が前記送風機構と前記仕切部との間に配置される請求項１〜４のいずれかに記載の植物育成装置。
【請求項６】
前記仕切部が、網目が５ｍｍ以下のネット部を含む請求項１〜５のいずれかに記載の植物育成装置。
【請求項７】
前記送風機構を複数備える請求項１〜６のいずれかに記載の植物育成装置。
【請求項８】
前記植物が水耕により育成される請求項１〜７のいずれかに記載の植物育成装置。
【発明の詳細な説明】
【技術分野】
【０００１】
本開示は、光源から発せられた光を利用した光合成によって植物を成長させる植物育成装置に関する。
【背景技術】
【０００２】
次の特許文献１に開示されているように、植物の地上部に向かう光を発する光源と、光源側の空間と地上部側の空間とを仕切る光透過性の断熱部と、光源と断熱部との間の空間に気流を生成する送風機構と、を備える植物育成装置が知られている。
【先行技術文献】
【特許文献】
【０００３】
【特許文献１】ＷＯ２０１７／０４７０２４号公報
【発明の概要】
【発明が解決しようとする課題】
【０００４】
上記従来の技術では、光源と断熱部との間の空間に滞留している高温の空気を、送風機構が生成する気流によって外部に排出できるようにすることで、光源が発した熱が植物へ悪影響を与えることを抑制している。
【０００５】
しかしながら、上記従来の技術では、光源が発した熱を外部に排出することはできるが、植物の葉に十分な風を当てることが難しかった。
【０００６】
本開示は、このような従来技術の有する課題に鑑みてなされたものである。そして、本開示の目的は、光源が発した熱を外部に排出しつつ、植物の葉への送風をより確実に行うことができる植物育成装置を提供することにある。
【課題を解決するための手段】
【０００７】
上記課題を解決するために、本開示の一態様にかかる植物育成装置は、植物の地上部に向かう光を発する光源と、前記光源側の空間と前記地上部側の空間とを仕切り、水蒸気および光を通過させるが前記地上部の通過を制限する仕切部と、を備える。また、植物育成装置は、前記地上部側の空間内に外気を導入する外気導入部と、前記地上部側の空間に気流を生成する送風機構と、を備える。そして、前記送風機構が、前記地上部の上方に配置されて、前記地上部側の空間に、前記外気導入部から前記送風機構に向かう気流を生成する。
【発明の効果】
【０００８】
本開示によれば、光源が発した熱を外部に排出しつつ、植物の葉への送風をより確実に行うことができる植物育成装置を得ることができる。
【図面の簡単な説明】
【０００９】
【図１】第１実施形態にかかる植物育成装置を示す縦断面図である。
【図２】第１実施形態にかかる植物育成装置の傘部を示す平面図である。
【図３】第１実施形態にかかる植物育成装置の傘部を示す裏面図である。
【図４】第１実施形態にかかる植物育成装置の仕切部を示す平面図である。
【図５】仕切部の変形例を示す平面図である。
【図６】傘部の変形例を示す平面図である。
【図７】第２実施形態にかかる植物育成装置を示す縦断面図である。
【図８】第３実施形態にかかる植物育成装置を示す縦断面図である。
【図９】第４実施形態にかかる植物育成装置を示す縦断面図である。
【発明を実施するための形態】
【００１０】
以下、図面を参照しながら、各実施形態の植物育成装置を説明する。なお、各実施形態の説明および図面においては、同一の参照符号が同一の部分に付されている。同一の参照符号が付された同一の部分の説明は、後続の実施形態において繰り返されない。第１実施形態と後続の実施形態との図面の対比において、同一の参照符号が付された同一の部分は、特に説明がなければ、同一の構造および機能を有している。
【００１１】
（第１実施形態）
図１〜４を参照しながら、第１実施形態にかかる植物育成装置１００を説明する。
【００１２】
図１に示すように、植物育成装置１００は、植物３の地下部３ｂが成長する地下空間１ｂを内包する栽培室地下部２を備えている。この栽培室地下部２は、例えば、室内の床や棚等の床部１の上に載置されている。
【００１３】
栽培室地下部２は、栽培槽２ａと仕切部２ｂとを含んでいる。栽培槽２ａは、植物３の根等の地下部３ｂに供給される水または養液（図示せず）を貯留するものである。一方、仕切部２ｂは、栽培槽２ａの蓋を構成するとともに、植物３の地上部３ａが成長する地上空間１ａと植物３の地下部３ｂが成長する地下空間１ｂとを仕切るものである。また、植物３の茎が仕切部２ｂに設けられた貫通孔を突き抜けており、植物３の茎と貫通孔との間の隙間には、スポンジ等の柔軟性部材が嵌め込まれている。
【００１４】
また、植物育成装置１００は、傘部１０を備えており、この傘部１０は、図１および図２に示すように、略矩形板状の天井部１１と、天井部１１の外周縁部から下方に向けて延設された周壁部１２と、を備えている。すなわち、傘部１０は、４つの側壁で構成された角筒状の周壁部１２の上方開口を天井部１１で覆った形状をしており、下方に開口した状態で配置されている。なお、傘部１０の外郭を構成する天井部１１や周壁部１２は、光や風を通さない材料で形成されており、天井部１１や周壁部１２によって外部から内部へ進入する光や風が遮られている。また、天井部１１と周壁部１２とは、一体に形成されていてもよいし、別部材で形成されていてもよい。
【００１５】
そして、傘部１０は、床部１の上に配置された地上部３の上方および側方を覆うように配置されており、この傘部１０と床部１とで、植物３が配置される空間Ｓが画成されている。
【００１６】
また、植物育成装置１００は、地上部３ａに向かう光を発する光源４を備えており、この光源４は、地上部３ａの上方に配置される天井部１１の下面にブラケット４ａ等の取付部材を介して固定されている。このとき、光源４は、発光方向が下方を向くようにした状態で天井部１１の下面に固定されている。なお、図３に示すように、本実施形態では、一方向に細長い複数の光源４を幅方向に離間させた状態で配置している。
【００１７】
また、傘部１０内における地上部３ａと光源４との間には、空間Ｓを光源４側の空間Ｓ１と地上部３ａ側の空間Ｓ２とに区画する仕切部５が設けられている。仕切部５は、水蒸気および光を通過させるが地上部３ａの通過を制限するものである。
【００１８】
そして、このような仕切部５を設けることで、地上部３ａが光源４まで到達しないようにし、光源４からの熱が植物３に悪影響を与えることを抑制できるようにしている。なお、仕切部５は、周壁部１２の途中に固定されており、光源４側の空間Ｓ１の側方は、この周壁部１２によって仕切られている。
【００１９】
さらに、水蒸気は光源４の方へ上昇できるようにし、仕切部５に水蒸気が滞留してしまうことを抑制できるようにしている。こうすることで、地上部３ａの周辺の水蒸気の滞留に起因した地上部３ａの生理障害およびカビ等の発生を抑制できるようにしている。
【００２０】
この仕切部５は、例えば、網状部材、格子状部材、または孔明き部材等によって構成することができる。本実施形態では、仕切部５の全体が、網目が５ｍｍ以下のネット部５ａによって形成されたものを例示している。なお、網状部材、格子状部材、または孔明き部材は、光源４から地上部３ａへの光の到達を阻害しない観点から、例えば、ポリエチレン等の光透過性を有する部材によって構成されていることが好ましい。また、仕切部５はいかなる形状を有していてもよい。
【００２１】
そして、図２に示すように、本実施形態では、天井部１１の中央部に、地上部３ａ側の空間Ｓ２に気流を生成する送風機構としての排気ファン６が設けられており、空間Ｓ内の空気が排気ファン６を介して外部に排出されるようにしている。したがって、空間Ｓ内において天井部１１側（上側）に流れる空気は、排気ファン６から外部へと排出されることになる。
【００２２】
さらに、排気ファン６は、複数の光源４の裏側（上側：光源４の発光方向とは反対側）に配置されており、光源４側の空間Ｓ１内の空気は、隣りあう光源４の隙間を通って、排気ファン６から外部に排出できるようにしている（図３参照）。このように、本実施形態では、天井部１１に形成された複数の光源４の裏側に排気ファン６を設けることで、地上部３ａの真上（上方）に排気ファン６が位置するようにしている。すなわち、光源４が排気ファン６と仕切部５との間に配置されるようにしている。
【００２３】
また、本実施形態では、傘部１０は、周壁部１２の下端と床部１との間に隙間が形成されるようにした状態で配置されており、この隙間が、地上部３ａ側の空間Ｓ２内に外気を導入する外気導入部１３になっている。
【００２４】
このとき、傘部１０を棚板等の被固定部材から吊り下げたり、被固定部材に固定したりすれば、外気導入部１３を周壁部１２の下端の全周にわたって形成することができる。なお、周壁部１２の下端に複数本の脚部を設け、傘部１０を床部１上に載置させることで、外気導入部１３が形成されるようにすることも可能である。また、周壁部１２と床部１とを一体に設け、周壁部１２の下部に貫通孔を形成することで、外気導入部１３を設けるようにしてもよい。
【００２５】
さらに、本実施形態では、傘部１０を正規の位置に配置したときに、周壁部１２の下端が、栽培室地下部２の仕切部２ｂよりも上方に位置するようにしている。そして、植物３が成長した場合に大半の葉が周壁部１２の下端よりも上方に位置するように、周壁部１２の下端の高さを設定している（図１参照）。
【００２６】
こうすることで、排気ファン６を駆動させた際に、外気導入部１３から導入された外気が、植物３の仕切部２ｂ側の茎（根元側の茎）に向けて流れた後に上方に向けて流れるようにしている。すなわち、傘部１０の下端の周囲から外気導入部１３を通って導入された外気が、植物３の葉の下側に当たりながら地上部３ａを抜けて排気ファン６から外部に排出されるようにしている。
【００２７】
このように、本実施形態では、風を通さない傘部１０および植物３の下側から外気を導入する外気導入部１３によって、地上部３ａ側の空間Ｓ２内で生じる気流が所定方向を向くように制御している。
【００２８】
すなわち、本実施形態では、植物育成装置１００が、地上部３ａの真上（上方）に配置されて、地上部３ａ側の空間Ｓ１に、外気導入部１３から排気ファン６に向かう気流を生成する排気ファン６を備えている。さらに、本実施形態では、植物育成装置１００が、地上部３ａ側の空間Ｓ２の気流を制御可能な気流制御部７を備えており、この気流制御部７が、光源４側から下方に伸びて地上部３ａ側の空間Ｓ２の側方を仕切り、空気の通りを制限する周壁部１２と、周壁部１２よりも下方に形成された外気導入部１３と、を含んでいる。なお、本実施形態では、天井部１１の排気ファン６が設けられていない部位（壁部）も気流制御部７の一部を構成している。
【００２９】
以上説明したように、本実施形態では、地上部３ａの真上（上方）に設けた排気ファン６によって、地上部３ａ側の空間Ｓ２内に、外気導入部１３から排気ファン６に向かう気流を生成している。具体的には、天井部１１の４辺から、風を通さない壁部を下方向に伸ばし、上部に配置した排気ファン６にて植物３側から上方向への気流が生じるように気流を制御している。
【００３０】
こうすれば、成長した植物３の葉の密稙度合いが大きくなったとしても、葉の下側から上側に向かう気流が、密稙した葉の間を通り抜けて排気ファン６に向かうことになるため、密稙した葉に適度な風を送ることができる。その結果、密稙した葉に二酸化炭素（ＣＯ２）を供給することもできる。このように、密稙した葉に適度な風と二酸化炭素が供給されるようにすれば、葉の密稙部分における光合成量が低下してしまうことを抑制することができる。言い換えると、葉の密稙部分に光合成に必要な適度な風と二酸化炭素が供給されなくなってしまうことを抑制することができる。
【００３１】
したがって、本実施形態で示した植物育成装置１００を用いれば、地上部３ａが大きくなる植物３や栽培効率を向上させるために、葉が密稙するように複数の植物３を１つの装置内に配置した場合であっても、光合成量の低下を抑制することができる。
【００３２】
なお、周壁部１２における地上部３ａ側の空間Ｓ２を仕切る部位に送風機構を設け、密植状態の植物３に横から強い風を当てると風量にむらが生じてしまい、風が強く当たる箇所が過蒸散となって枯れてしまうことがある。
【００３３】
これに対して、本実施形態で示した植物育成装置１００では、葉の下側から上側に向かう気流が生成されるようにしている。すなわち、植物３に向けて風が出るようにファンを回すのではなく、植物３側から吸い込む方向にファンを回している。このように、植物３側から吸い込む方向にファンを回す方が、植物３に向けて風が出るようにファンを回すよりも、空間内の風量がより均一になることが確かめられている。したがって、本実施形態のように、植物３側から吸い込む方向にファンを回す植物育成装置１００を用いれば、風量にむらが生じてしまうことが抑制され、過蒸散となって枯れてしまうことを抑制することができる。
【００３４】
さらに、本実施形態では、葉の下側から上側に向かう気流が生成されるようにしている。こうすれば、葉と葉の間の微小な隙間が風に当たった葉の移動によって塞がれてしまうという現象が起こりにくくなる。このような現象は、上側から下側に向かう気流とした場合に生じやすい現象であり、このような現象が生じてしまうと、地上部３ａ側の空間Ｓ２内における風量の分布が偏ってしまい、地上部３ａ側の空間Ｓ２内の葉に均一に風を送ることができなくなってしまう。
【００３５】
しかしながら、本実施形態のように、葉の下側から上側に向かう気流が生成されるようにすれば、上記現象が起こりにくくなるため、より均一に地上部３ａ側の空間Ｓ２内の葉に風を送ることができるようになる。
【００３６】
さらに、本実施形態では、光源４が排気ファン６と仕切部５との間に配置されるようにしている。こうすれば、光源４の熱を排気ファン６によってより速やかに外部に排出することができるため、光源４からの熱が植物３に悪影響を与えることをより確実に抑制することができる。
【００３７】
このように、本実施形態で示した植物育成装置１００を用いれば、光源４の熱を外部に排出すること、および、植物３の密植部への二酸化炭素の供給や送風を同時に実現することができる。
【００３８】
なお、上記実施形態では、仕切部５の全体が、網目が５ｍｍ以下のネット部５ａによって形成されたものを例示し、図４には、網目の大きさが全体的にほぼ同じ大きさとなるものを例示している。しかしながら、仕切部５の構成は、上記の構成に限るものではなく様々な形状とすることができる。例えば、仕切部５の全体をネット部５ａで形成しつつ、中央の網目が周辺部の網目よりも広くなるようにしてもよい。こうすれば、地上部３ａ側の空間Ｓ２の中央部の葉がより密植した部位に、空気をより確実に送ることができるようになる。
【００３９】
また、図５に示すように、ポリカーボネート等の光を通す板を用いて、板の中央部のみにネット部５ａが形成されるようにしてもよい。こうすることでも、地上部３ａ側の空間Ｓ２の中央部の葉がより密植した部位に、空気をより確実に送ることができるようになる。
【００４０】
また、天井部１１や周壁部１２を反射率の高い素材を用いて形成してもよい。こうすれば、光源４からの照射効率を向上させることができ、光合成をより活発に行うことができるようになる。
【００４１】
また、上記実施形態では、天井部１１に１つの排気ファン６を設けたものを例示したが、図６に示すように、２つ（複数）の排気ファン６を天井部１１に設けるようにしてもよい。このとき、２つ（複数）の排気ファン６を、できるだけ中央部分に設けるようにするのが好ましい。こうすれば、密植すると想定される中央部への送風に役立つと考えられるからである。
【００４２】
（第２実施形態）
図７を参照しながら、第２実施形態にかかる植物育成装置１００を説明する。
【００４３】
本実施形態では、仕切部５が、１または２以上の貫通孔５ｂ１を有する板部５ｂを含んでいる。板部５ｂは、水平面に沿って延びる板状部材である。
【００４４】
なお、本実施形態にかかる植物育成装置１００においても、光源４が排気ファン６と仕切部５との間に配置されるようにしている。
【００４５】
以上の本実施形態によっても、上記第１実施形態と同様の作用、効果を奏することができる。
【００４６】
なお、板部５ｂを、例えば、アクリル板等の断熱性および光透過性を有する板状部材で形成すれば、光源４からの熱が植物３に悪影響を与えることをより確実に抑制することができる。
【００４７】
（第３実施形態）
図８を参照しながら、第３実施形態にかかる植物育成装置１００を説明する。
【００４８】
本実施形態にかかる植物育成装置１００においては、仕切部５の下面５１が水平面に対して傾斜している。具体的には、仕切部５の下面５１が凹状の曲面として形成されている。ただし、仕切部５の下面５１は、１つ傾斜する平面または２以上の傾斜する平面の組合せによって構成されていてもよい。このように、仕切部５の下面５１が水平面に対して傾斜していれば、仕切部５の下面に付着した水滴が仕切部５の下面５１の形状に沿って最も低い位置まで流れ、その位置から下方へ落下する。その結果、植物３が発した水蒸気が仕切部５の下面５１に水滴として付着し続けることを抑制することができる。したがって、仕切部５の下面５１に付着した水滴に起因したカビまたは菌等の発生を防止することができる。
【００４９】
また、仕切部５の中央部には、筒状部材８が仕切部５を貫通するように設けられており、排気ファン６が筒状部材８の上部開口に臨むようにしている。こうすることで、外気導入部１３から導入された外気が、この筒状部材８の内側を通って排気ファン６により外部に排出されるようにしている。なお、本実施形態のように、仕切部５の中央部に、比較的大きな筒状部材８を設けた場合、筒状部材８の内部にネット部を設け、地上部３ａの筒状部８内の通過を制限できるようにするのが好ましい。
【００５０】
なお、仕切部５の形状を上記第１実施形態や第２実施形態で示した形状とし、中央部に筒状部材８を設けるようにしてもよい。
【００５１】
以上の本実施形態によっても、上記第１実施形態と同様の作用、効果を奏することができる。
【００５２】
（第４実施形態）
図９を参照しながら、第４実施形態にかかる植物育成装置１００を説明する。
【００５３】
本実施形態では、板状の仕切部５に、１または２以上の筒状部材８が仕切部５を貫通するように設けられている。
【００５４】
なお、本実施形態にかかる植物育成装置１００においても、光源４が排気ファン６と仕切部５との間に配置されるようにしている。
【００５５】
以上の本実施形態によっても、上記第１実施形態と同様の作用、効果を奏することができる。
【００５６】
なお、本実施形態においても、仕切部５を、例えば、アクリル板等の断熱性および光透過性を有する板状部材で形成すれば、光源４からの熱が植物３に悪影響を与えることをより確実に抑制することができる。
【００５７】
また、図９に示すように、複数の筒状部材８を下端が仕切部５よりも下側に突出するように設ければ、筒状部材８の下方に突出した部位により、植物３の葉をばらけさせることができ、地上部３ａ側の空間Ｓ２の葉に、より均一に風を送ることができるようになる。
【００５８】
（その他）
上記の各実施形態にかかる植物育成装置１００は、地下部３ｂとしての根を栽培槽２ａ内に貯留された水または養液を浸して植物３を栽培する水耕栽培装置である。栽培される植物としては、たとえば、図面に描かれた植物の形状とは異なる、ジャガイモ（馬鈴薯）またはオタネニンジン（高麗人参）等が想定されている。ただし、植物３は、いかなるものであってもよい。また、植物３の栽培方法は、水耕栽培に限定されず、いかなるものであってもよい。
【００５９】
以下では、上記各実施形態で示した植物育成装置１００の特徴的構成およびそれにより得られる効果を説明する。
【００６０】
（１）  植物育成装置１００は、植物３の地上部３ａに向かう光を発する光源４と、光源４側の空間Ｓ１と地上部３ａ側の空間Ｓ２とを仕切り、水蒸気および光を通過させるが地上部３ａの通過を制限する仕切部５と、を備える。
【００６１】
また、植物育成装置１００は、地上部３ａ側の空間Ｓ２内に外気を導入する外気導入部１３と、地上部３ａ側の空間Ｓ２に気流を生成する排気ファン（送風機構）６と、を備える。
【００６２】
そして、排気ファン６が、地上部３ａの上方に配置されて、地上部３ａ側の空間Ｓ２に、外気導入部１３から排気ファン６に向かう気流を生成する。
【００６３】
上記の構成によれば、光源４が発した熱を外部に排出しつつ、植物３の葉への送風をより確実に行うことができる。
【００６４】
（２）  また、植物育成装置１００が地上部３ａ側の空間Ｓ２の気流を制御可能な気流制御部７を備えていてもよい。
【００６５】
こうすれば、植物３の葉への送風をより確実に行うことができる。
【００６６】
（３）  また、気流制御部７が、光源４側から下方に伸びて地上部３ａ側の空間Ｓ２の側方を仕切り、空気の通りを制限する周壁部１２と、周壁部１２よりも下方に形成された外気導入部１３と、を含むのが好ましい。
【００６７】
こうすれば、より簡素な構成で、地上部３ａ側の空間Ｓ２の気流を制御することが可能となる。
【００６８】
（４）  また、周壁部１２が、光源４側の空間Ｓ１の側方を仕切るようにしてもよい。
【００６９】
こうすれば、光源４側の空間Ｓ１の側方に抜ける気流が形成されてしまうことが抑制され、地上部３ａ側の空間Ｓ２内の空気を、より確実に排気ファン６から外部に排出することができる。
【００７０】
（５）  また、光源４が排気ファン６と仕切部５との間に配置されていてもよい。
【００７１】
こうすれば、より確実に光源４が発した熱を外部に排出することができる。
【００７２】
（６）  また、仕切部５が、網目が５ｍｍ以下のネット部５ａを含むようにしてもよい。
【００７３】
こうすれば、水蒸気および光をより容易に通過させつつ、地上部３ａの通過をより確実に制限することができる。
【００７４】
（７）  また、排気ファン６を複数備えるようにしてもよい。
【００７５】
こうすれば、地上部３ａ側の空間Ｓ２内の流量をより均一にすることが可能となる。
また、地上部３ａ側の空間Ｓ２に配置された地上部３ａの状況に応じて、個々の排気ファン６の回転数等を制御することも可能となる。そのため、地上部３ａの状況にかかわらず、地上部３ａ側の空間Ｓ２内の流量をより均一にすることもできるようになる。
【００７６】
（８）  また、植物３が水耕により育成されるようにしてもよい。
【００７７】
こうすれば、様々な場所で植物３を育成することが可能となる。
【００７８】
以上、本開示にかかる植物育成装置の内容を説明したが、本開示はこれらの記載に限定されるものではなく、種々の変形及び改良が可能であることは、当業者には自明である。
【符号の説明】
【００７９】
３  植物
３ａ  地上部
４  光源
５  仕切部
５ａ  ネット部
６  送風機構
７  気流制御部
１２  周壁部
１３  外気導入部
１００  植物育成装置
Ｓ１  光源側の空間
Ｓ２  地上部側の空間
【図１】
2020061986.tif 000003
【図２】
2020061986.tif 000004
【図３】
2020061986.tif 000005
【図４】
2020061986.tif 000006
【図５】
2020061986.tif 000007
【図６】
2020061986.tif 000008
【図７】
2020061986.tif 000009
【図８】
2020061986.tif 000010
【図９】
2020061986.tif 000011